(57)【要約】【課題】物干し竿等への吊り掛け、及び壁等のへの吊り掛けの両方の吊り掛けが可能で、しかも両者の切り換えを容易に行うことができる物干し器を提供する。【解決手段】本発明に係る物干し器は、洗濯物を吊り下げる物干し本体１と、物干し本体１の一端部側及び他端部側それぞれに両端部が接続され、所定間隔をおいて配置される２本の線条体３，５と、物干し本体１の上方に配置され、２本の線条体３，５の中間部同士を連結する連結具７と、連結具７に取り付けられたフック９とを備え、連結具７は各線条体３，５に沿って移動可能に係合し、各線条体３，５上の２つの位置に連結具７に着脱自在に固定される突部３１が設けられており、各線条体が一方の突部３１において連結具７に固定されるとき、連結具７は物干し本体１の中央上方に配置されるとともに、他方の突部３１において連結具７に固定されるとき、連結具７は物干し本体１の後部上方に配置される。【選択図】  図３
2007135830.tif 000002
【特許請求の範囲】
【請求項１】
洗濯物を吊り下げる物干し本体と、
前記物干し本体の一端部側及び他端部側それぞれに両端部が接続され、所定間隔をおいて配置される２本の線条体と、
前記物干し本体の上方に配置され、前記２本の線条体の中間部同士を連結する連結具と、
前記連結具に取り付けられた吊掛具とを備え、
前記連結具は前記線条体に沿って移動可能に係合し、
前記各線条体上の第１の位置及び第２の位置に、前記連結具に着脱自在に固定される固定具が設けられており、
前記各線条体が前記第１の位置において前記連結具に固定されるとき、前記連結具は前記物干し本体の中央上方に配置される一方、前記第２の位置において前記連結具に固定されるとき、前記連結具は前記物干し本体の中央上方からずれた位置に配置される、物干し器。
【請求項２】
前記第２の位置の固定具が前記連結具に固定されるとき、前記連結具は前記物干し本体の一端部または他端部の上方に配置される、請求項１に記載の物干し具。
【請求項３】
前記連結具は筒状の基部を有するとともに、当該基部にはその内外に連通する二対の孔が形成されており、
前記各線条体は、２つの前記孔を介してその一部が前記基部の内部を通過しており、
前記基部外面における前記孔の近傍には、前記固定具が固定される被固定部が設けられている、請求項１または２に記載の物干し器。
【請求項４】
前記物干し本体は、平面視矩形状に形成され、前記各線条体の両端部は、前記物干し本体の角部にそれぞれ接続されている、請求項１から３のいずれかに記載の物干し器。
【発明の詳細な説明】
【技術分野】
【０００１】
本発明は、洗濯物を干すための物干し器に関する。
【背景技術】
【０００２】
従来より、洗濯物を干すための物干し器として、種々のものが提案されている。一般的な物干し器は、洗濯物を挟む複数の洗濯バサミが吊り下げられた枠体からなる物干し本体を有しており、この物干し本体が複数のチェーンによって上方から支持されている。また、各チェーンの端部はフックに固定されており、このフックを物干し竿などに吊り掛けることで、洗濯物を干すようになっている。このような物干し器は屋外で物干し竿等に吊り掛けることが想定されているため、通常、複数のチェーンは同じ長さに形成され、これによってフックが物干し本体中央の上方に位置するようになっている。そのため、物干し本体は、水平な状態で吊り掛けられることになる。
【０００３】
しかしながら、雨天の場合、物干し器は屋内の壁などに掛けて使用されることもある。この場合、フックは壁に引っ掛けられるため、物干し本体の端部が壁に接触してしまい、フックは中央上方からずれた位置に配置される。このような状態になると、物干し本体は水平に支持されず、傾いた状態で支持されることになる。そのため、洗濯物同士が接触し、乾きにくくなるという問題が発生する。
【０００４】
これを解決するため、特許文献１には、次のような物干し器が開示されている。この物干し器は、物干し本体を吊るすチェーンの代わりに、長さを変更可能な連結体を使用している。より詳細には、４本の連結体の一端部を矩形状の物干し本体の角にそれぞれ接続するとともに、他端部をフックに接続している。そして、物干し本体の一端側に接続された一対の連結体の長さを変更できるように構成している。この連結体は、一対の帯状の連結杆からなり、フックが物干し本体の中央上方に配置される通常の状態では、これら連結杆を重ねた状態にしておく。一方、連結体を長くする場合には連結杆の端部同士を接続することで２倍の長さにして使用する。このように、物干し本体の一端側の２つの連結体を長くすることで、フックは物干し本体の中央から他端側にずれた位置に配置されるようになる。こうすることで、フックを壁に掛けて物干し本体の他端側が壁に接触した状態になっても、物干し本体は水平な状態で吊り掛けられるため、洗濯物同士が接触するのを防止すめことができる。
【特許文献１】特開２００３−２４６９５号公報
【発明の開示】
【発明が解決しようとする課題】
【０００５】
ところで、上記連結体は、一方の連結杆に設けられたピンを他方の連結杆に形成された孔に嵌合することで、両者を連結している。したがって、連結体の長さを変更する場合には、その都度ピンを孔から取り外し、他の孔に嵌める必要がある。そのため、連結体の長さの変更が非常に面倒であり、時間を要するという問題があった。
【０００６】
本発明は、上記問題を解決するためになされたものであり、物干し竿等への吊り掛け、及び壁等への吊り掛けの両方の状態において水平な吊り掛けが可能で、しかも両者の切り換えを容易に行うことができる物干し器を提供することを目的とする。
【課題を解決するための手段】
【０００７】
本発明に係る物干し器は、上記問題を解決するためになされたものであり、洗濯物を吊り下げる物干し本体と、前記物干し本体の一端部側及び他端部側それぞれに両端部が接続され、所定間隔をおいて配置された２本の線条体と、前記物干し本体の上方に配置され、前記２本の線条体の中間部同士を連結する連結具と、前記連結具に取り付けられた吊掛具とを備え、前記連結具は前記各線条体に沿って移動可能に係合し、前記各線条体上の第１の位置及び第２の位置に前記連結具に着脱自在に固定される固定具が設けられており、前記各線条体が前記第１の位置において前記連結具に固定されるとき、前記連結具は前記物干し本体の中央上方に配置される一方、前記第２の位置において前記連結具に固定されるとき、前記連結具は前記物干し本体の中央上方からずれた任意の位置に配置されるように構成されている。
【０００８】
この構成によれば、物干し本体を吊り下げる２本の線条体の両端を物干し本体の一端部側及び他端部側にそれぞれに接続し、両線条体の中間部同士を連結具に接続している。このとき、連結具は線条体に係合しつつ線状体に沿って移動可能となっているため、連結具の位置を物干し本体の中央上方に配置したり、そこからずれた位置に配置することが可能となる。そして、線条体には、第１の位置及び第２の位置にそれぞれ固定具が設けられており、第１の位置で線条体と連結具とを固定すると、物干し本体の中央上方で連結具を固定することができる一方、第２の位置で線条体と連結具とを固定すると、物干し本体の中央からずれた位置で連結具を固定できるように構成されている。
【０００９】
したがって、壁や障害があるような場合に物干し本体の中央からずれた位置で吊掛具を引っ掛けるような場合でも、上記のように連結具の位置をずらして配置できるため、物干し本体を水平状態で吊り下げることができる。その結果、吊り下げた洗濯物同士が接触するのを確実に防止することができる。また、線条体を連結具に沿って移動させ、第１の位置または第２の位置で線条体の固定具を連結具に固定するだけで、連結具を物干し本体の中央上方またはそこからずれた位置に配置することができる。そのため、連結具を物干し本体の中心からずれた位置に配置したい場合に、その切り換えを容易に行うことができる。
【００１０】
なお、本発明における「線条体の中間部」とは、厳密な中間位置を指すのではなく、線条体の両端部の間の任意の位置を指す。
【００１１】
上記構成において、第２の位置は適宜決定することができるが、例えば、第２の位置の固定具が連結具に固定されるときに、連結具が物干し本体の一端部または他端部近傍の上方に配置されるように設定すると、物干し器を壁に掛けたときであっても、物干し本体を水平に吊り下げることができる。これ以外でも、例えば壁が傾斜したり、壁に段がある場合には、第２の位置を適宜変更することで、物干し本体を水平に支持することができる。
【００１２】
連結具は、種々の態様に構成することができるが、例えば、次のように構成することができる。すなわち、連結具が筒状の基部を有するとともに、当該基部にその内外に連通する二対の孔を形成し、各線条体を、２つの孔を介してその一部が基部の内部を通過するようにし、基部外面における孔の近傍に固定具が固定される被固定部を設けるように構成することができる。
【００１３】
また、物干し具本体を、平面視矩形状に形成し、各線条体の両端部を、物干し具本体の角部にそれぞれ接続することが好ましい。
【発明の効果】
【００１４】
本発明に係る物干し具によれば、物干し竿等への吊り掛け、及び壁等への吊り掛けの両方の吊り掛けが可能で、しかも両者の切り換えを容易に行うことができる。
【発明を実施するための最良の形態】
【００１５】
以下、本発明に係る物干し器の一実施形態について図面を参照しつつ説明する。図１は本実施形態に係る物干し器の側面図、図２は図１の平面図である。なお、本実施形態では、図１，図５の左側及び図２，図６の上方を「前」、図１，図５の右側及び図２，図６の下方を「後」と称することとする。
【００１６】
図１及び図２に示すように、本実施形態に係る物干し器は、洗濯物を吊り下げる物干し本体１と、これを吊り下げる２本の線条体、つまり第１線条体３及び第２線条体５とを備えている。本実施形態では、第１線条体３が図２の左側に配置され、第２線条体５が右側に配置されている。各線条体３，５は、Ｖ字形に曲げられて、その中間部同士が連結具７に接続されている。また、この連結具７の上面には物干し器を吊り掛けるためのフック（吊掛具）９が取り付けられている。物干し本体１は、長方形状のフレーム１１と、このフレーム１１の内部に掛け渡された複数の補強用枠部１３，１４とを備えている。図２に示すように、本実施形態では、フレーム１１の長辺と平行な４つの補強用枠部１３と、フレーム１１の短辺と平行な４つの補強用枠部１５とが組み合わされて配置されているが、任意の組み合わせが可能である。そして、フレーム１１及び補強用枠部１３，１５には、洗濯物を挟む複数の洗濯バサミ１７が吊り下げられている。
【００１７】
図２に示すように、各線条体３，５は、所定間隔をおいてフレーム１１の両側それぞれに取り付けられている。つまり、各線状体の両端部それぞれがフレーム１１の短辺の両端（前側（一端部側）と後側（他端部側））付近に接続されている。ここで、フレーム１１の角部付近には係止リング１９が設けられており、この係止リング１９に各線条体３，５の端部が接続されている。そして、各線条体３，５は、Ｖ字形を形成するように曲げられてフレーム１１の中心付近まで延び、その中間であるＶ字形の頂部が連結具７に係合している。
【００１８】
各線条体３，５は、５つの連結棒２１〜２５をチェーン２７，２９によって接続することで構成されている。より詳細には、図２に示すように、連結具７を挟んで物干し本体１の前側には３つの連結棒２１〜２３が配置され、これら連結棒２１〜２３は短いチェーン２７によって接続されている。一方、連結具７より後側には２つの連結棒２４，２５が配置されており、これらも同様に短いチェーン２７によって接続されている。そして、連結具７に最も近い前側及び後側の連結棒２３，２４同士は、比較的長い調整用チェーン２９によって接続されており、この調整用チェーン２９に沿って連結具７がスライド可能となっている。以下、連結具７に近接する２つの連結棒２３，２４を接続用連結棒と称することとする。また、後述するように、各接続用連結棒２３，２４には、連結具７を向く側の端部に棒の幅方向に延びる突部（固定具）３１が形成されている。
【００１９】
次に、図１〜図４を参照しつつ、連結具について説明する。図３は連結具の横断面図であり、図４は図３のＡ−Ａ線断面図である。図３及び図４に示すように、連結具７は、下部が開口する円筒状に形成された基部３３と、この基部３３の下端縁が折り返されて上方に延びた折り返し部３５とを備えている。そして、折り返し部３５の上端縁には接続用連結棒２３，２４の端部が係合する円弧状の切欠部３７が形成されている。図３に示すように、折り返し部３５には周方向に４つの切欠部３７が形成されており、各切欠部３７と対向する基部３３の外面には、内部と連通する孔３９が形成されている。ここで、図３の左側に配置されている一対の切欠部及び孔をそれぞれ第１切欠部３７ａ、第１孔３９ａと称することとする。また、図３の右側に配置されている一対の切欠部及び孔をそれぞれ第２切欠部３７ｂ、第２孔３９ｂと称することとする。
【００２０】
第１線条体３の調整用チェーン２９は、その一部が一対の第１孔３９ａを介して基部３３の内部に入り込んでおり、これによって連結具７が線条体３に沿って移動可能に連結されている。一方、第２線条体５の調整用チェーン２９も、同様に、その一部が一対の第２孔３９ｂを介して基部３３の内部に入り込んでいる。また、接続用連結棒２３，２４は、切欠部３７に係合するようになっており、さらに接続用連結棒２３，２４の突部３１が基部３３と折り返し部３５との間の隙間Ｓに嵌るようになっている。このとき、各切欠部３７の径は、接続用連結棒２３，２４より若干大きい程度に形成されているが、突部３１の幅よりは小さく形成されている。そのため、連結棒２３，２４が物干し本体１側に引っ張られたとしても、切欠部３７から抜けないようになっている。なお、上記隙間Ｓ及び切欠部３７が、本発明の被固定部に相当する。
【００２１】
ところで、本実施形態に係る物干し器は、屋外での物干し竿等に引っ掛けて使用する場合のみならず、例えば屋内で壁に掛けて使用することも可能となっている。そのため、連結棒２１〜２５及び調整用チェーン２９の長さが以下のように設定されている。まず、屋外で使用する場合、図１に示すように、この物干し器は、フック９が物干し本体１のほぼ中央の上方に位置するように吊り掛けられる。この場合、図２に示すように、連結具７は、Ｖ字形に折り曲げられた各線条体２、３の中心に配置されるようになるため、線条体３，５によって結ばれる連結具７と係止リング１９との間の４箇所の部分は、ほぼ同一の長さになっている。このとき、前側の２つの接続用連結棒２３の突部３１が、線条体３，５のほぼ中央に位置するように配置されるため、この突部３１が連結具７に固定されることで、連結具７が物干し本体１の中央付近に固定されるようになる。なお、各線条体３，５において、前側の接続用連結棒２３の突部３１が設けられている位置が、本発明における「線条体上の第１の位置」に相当する。
【００２２】
一方、物干し器を壁に掛ける場合には、図５に示すように、物干し本体１の後端が壁Ｗに当接するので、物干し本体１が水平状態で吊り掛けられるためには、線条体３，５が緩まずに張っている状態で、連結具７が物干し本体１の後端の上方に配置される必要がある。そのためには、線条体３，５が、連結具７を挟んで、前側が長く、後側が短くなるように配置されなければならない。本実施形態では、上述したように、連結具７を挟んで前部側に３つの連結棒２１〜２３を配置するとともに、後側に２つの連結棒２４，２５を配置している。そして、後側の接続用連結棒２４の端部に突部３１が形成されているため、この突部３１を連結具７に固定することで、線条体３，５が、連結具７の前側で長く、後側で短くなるように設定される。その結果、図５及び図６に示すように、フック９を吊り掛けたとき、後側の２本の連結棒２４，２５はフレーム１１の後側の長辺に沿って延び、連結具７が物干し本体１の後端部上方に配置されるようになる。なお、各線条体３，５において、後側の接続用連結棒２４の突部３１が設けられている位置が、本発明における「線条体上の第２の位置」に相当する。
【００２３】
次に、上記のように構成された物干し具の使用方法について説明する。まず、屋外で物干し竿などにこの物干し器を吊り掛ける場合、つまり物干し竿の周囲に障害が無く、図１及び図２に示すように、フック９及び連結具７を物干し本体１の中央上方に配置できる場合には、前側の接続用連結棒２３を連結具７に固定する。すなわち、図３に示すように、接続用連結棒２３の突部３１を、連結具７の基部３３と折り返し部３５との間の隙間Ｓに嵌め込んで固定する。この状態で、フック９を物干し竿等に吊り掛ければ、連結具７が物干し本体１の中央上方に配置されるとともに、物干し本体１が水平な状態で吊り下げられる。
【００２４】
一方、図５及び図６に示すように、物干し器を屋内で壁に掛ける場合には次のように操作する。まず、図７に示すように、前側の接続用連結棒２３の突部３１を連結具７から取り外し、各接続用連結棒２３を前側に引っ張る。これにより、調整用チェーン２９が連結具７に対し、孔３９ａ，３９ｂを通って前側へスライドしていく。そして、図８に示すように、後側の接続用連結棒２４の端部が連結具７に接触したところで、その突部３１を連結具７の基部３３と折り返し部３５との隙間Ｓに嵌め込んで固定する。これにより、図６に示すように、各線条体３，５は、連結具７を挟んで前側が長く、後側が短くなり、フック９を壁に掛けて線条体３，５が緊張したときには、連結具７及びフック９が物干し本体１の後端上方に位置する。その結果、物干し本体１は水平に支持される。
【００２５】
以上のように、本実施形態によれば、線条体３，５を連結具７に沿ってスライドさせ、前側の接続用連結棒２３の突部３１、または後側の接続用連結棒２４の突部３１を連結具７に固定するだけで、連結具７を物干し本体１の中央上方または後端上方に配置することができる。そのため、物干し器を壁に掛ける場合に、その切り換えを非常に容易に行うことができる。
【００２６】
また、本実施形態に係る物干し器は、従来例と比べて次のような利点がある。
すなわち、従来例で示した物干し器は、線条体（連結体）の一部を長くすることで物干し本体に対する連結具の位置を変更するように構成しているが、このようにすると、物干し器を壁に吊り掛けたとき、フックから物干し本体までの鉛直方向の距離が長くなるため、物干し本体から床までの距離が短くなる。そのため、洗濯物によっては、その下端部が床に接触することもあり、長い洗濯物を干すことができないという問題が生ずる。しかしながら、本実施形態の物干し器は、線条体３，５の一部を長くするのではなく、連結具７に固定される線条体３，５の位置を切り換えることで、物干し本体１に対する連結具７の位置を変更している。したがって、線条体３，５の全長が変わらないため、このような切り換えが行われても、物干し本体１から連結具７までの鉛直方向の距離はほぼ同じであり、長い洗濯物を干すことも可能である。
【００２７】
以上、本発明の一実施形態について説明したが、本発明は上記実施形態に限定されるものではなく、その趣旨を逸脱しない限りにおいて種々の変更が可能である。
【００２８】
線条体は、上記実施形態のように連結棒とチェーンで構成する以外にも、ひも、ワイヤなど種々の構成が可能である。例えばチェーンのみで構成し、その途中に突部等からなる固定具を設けることもできる。また、固定具及び被固定部は、互いに着脱自在に固定できるような構成であれば、特には限定されない。
【００２９】
また、連結具７は、上記構成以外であってもよく、線条体に沿って移動可能に係合するような構成を有するとともに、固定具が固定される被固定具を有していれば特には限定されない。例えば、図９及び図１０に示すように、折り返し部３５の上端をさらに内側に折り返して抜け止め５１を形成し、これを突部３１の上部に係止させることもできる。この場合の突部３１の取り外し方を図１０を参照しつつ説明する。まず、図１０（ａ）の状態から突部３１をやや下方に移動させて抜け止め５１との係止状態を解除する（図１０（ｂ））。次に、突部３１を上方に浮かせながら、切欠部３７との係止状態を解除する（図１０（ｃ））。この状態で、接続用連結棒２３を連結具７から離間する方向に引っ張って、突部３１と連結具７との固定状態を完全に解除する（図１０（ｄ））。上記のような構成では、折り返し部３５の上端に抜け止め５１が形成されているため、突部３１の抜けをさらに確実に防止することができる。
【００３０】
また、連結具７は、筒状の基部３３に孔３９を形成してチェーン２９が孔３９を通るようにして係合させているが、例えば、溝を形成し、これにチェーンがスライド可能に嵌るように構成することもできる。要するに、線条体が連結具に接続した状態になり、線条体に沿って連結具が移動可能であれば、その構成は、特には限定されない。また、フック９（吊掛具）の構成も特には限定されず、所定の固定物に吊り掛けたり固定できるような構成であれば特には限定されない。
【００３１】
また、上記実施形態では、連結具７を線状体３，５の第２の位置に固定したときに、連結具７が物干し本体１の後端上方に位置するようになっているが、これに限定されるものではない。例えば、壁にカーテンレールなどが配置され、これに物干し器を吊り掛ける場合には、連結具７の位置は必ずしも物干し本体１の後端上方になくてもよく、物干し本体１の中央から後端の間の適当な位置に配置されていればよい。したがって、固定具が設けられる第２の位置は、物干し器１を吊り掛ける固定物によって、適宜変更すればよい。
【図面の簡単な説明】
【００３２】
【図１】本発明に係る物干し器の一実施形態を示す側面図である。
【図２】図１の物干し器の平面図である。
【図３】図１の物干し器に用いられる連結具の横断面図である。
【図４】図３のＡ−Ａ線断面図である。
【図５】図１の物干し器を壁に掛けたときの側面図である。
【図６】図５の物干し器の平面図である。
【図７】吊り掛け状態の切り換え動作を説明する連結具の横断面図である。
【図８】吊り掛け状態の切り換え動作を説明する連結具の横断面図である。
【図９】連結具の他の例を示す斜視図である。
【図１０】連結具の他の例を示す縦断面図である。
【符号の説明】
【００３３】
１    物干し本体
３    第１線条体
５    第２線条体
７    連結具
９    フック（吊掛具）
３１  突部（固定具）
３３  基部
３７  切欠部（被固定部）
３９  孔
【図１】
2007135830.tif 000003
【図２】
2007135830.tif 000004
【図３】
2007135830.tif 000005
【図４】
2007135830.tif 000006
【図５】
2007135830.tif 000007
【図６】
2007135830.tif 000008
【図７】
2007135830.tif 000009
【図８】
2007135830.tif 000010
【図９】
2007135830.tif 000011
【図１０】
2007135830.tif 000012